(57)【要約】      （修正有）    【課題】  従来のランドセル用のランドセルカバーは主に雨よけを目的とし、装着が困難で、またランドセルの背板部を除いてすっぽりと覆うものに関しては、学校に到着してからの処理に困るものであった。また外観的にもランドセルとの違和感があり、審美性におとり、さらに必需性のないものであった。【解決手段】  以上の課題を解決するために、本発明の晴・雨天兼用の常用装着型ランドセルカバーはランドセルの蓋を巻くようにして包み込み、蓋の内側（３）のみでの着脱を可能にしたランドセルカバーであって、上記の形状により着脱が容易になり、外観的にもランドセル本体と違和感なく一体化することでランドセルに同化し、審美性に優れたものとなる。さらに晴・雨天にかかわらず常用装着することで、取り外す必要がなくなるため、学校での処理にも困らず、雨よけだけではなく傷防止の効果もあり、新規の必需性を持ったランドセルカバーとなることを目的とする。【選択図】図１  
2006000424.tif 000002
【特許請求の範囲】
【請求項１】
ランドセルの蓋をくるんで使用するランドセルカバーであって、カバー本体（１）は周
縁部全周（２）をテープにて縁取りし、蓋の内側（３）での着脱を可能にした雨よけだけ
ではなく傷防止も視野に入れ、また外観的にもランドセル本体と違和感なく一体化し、審
美性に優れていることを特徴とする晴・雨天兼用の常用装着型ランドセルカバー。
【発明の詳細な説明】
【技術分野】
【０００１】
本発明は、着脱を容易にし、雨よけ・傷防止を目的とし、審美性も加味した晴・雨天兼
用の常用装着型ランドセルカバーに関するものである。
【背景技術】
【０００２】
従来のランドセル用のランドセルカバーは主に雨よけを目的とし、形状はランドセルの
背板部を除いてすっぽりと覆うものがある（例えば、特許文献１参照。）。また、ランドセルの蓋に被わせて用いるものもあるが、装着の際に背負いバンドを取り外して装着しなければならないものである（例えば、特許文献２参照。）。
【特許文献１】特開２００１−２５８６２７号公報
【特許文献２】登録実用新案第３０７７２７８号
【発明の開示】
【発明が解決しようとする課題】
【０００３】
以上の従来の技術によれば、目的を雨よけとし、装着が困難で、またランドセルの背板
部を除いてすっぽりと覆うものに関しては、学校に到着してからの処理に困るものであっ
た。
【０００４】
本発明は、目的を雨よけだけではなく傷防止も視野に入れ、装着が簡単で、学校に到着
してからも処理に困らず、審美性に優れた新規の晴・雨天兼用の常用装着型ランドセルカ
バーを提供することを課題とする。
【課題を解決するための手段】
【０００５】
以上の課題を解決するために、本発明の晴・雨天兼用の常用装着型ランドセルカバーは
ランドセルの蓋をくるので使用するカバーであって、カバー本体は周縁部全周をテープに
て縁取りすることで外周縁部が強化され、また着脱を容易にするために蓋の内側での着脱
を可能にし、晴・雨天にかかわらず常用装着出来るよう雨よけだけではなく傷防止も視野
に入れ、また外観的にもランドセル本体と違和感なく一体化し、審美性に優れていること
を目的とする。  
【発明の効果】
【０００６】
以上説明したように、本発明によれば、着脱が容易で、また着脱することなく常時装着
することにより、雨よけはもとよりランドセルの傷等を防止する効果もあり、また外観的
にもランドセルと一体化し、審美性に優れている。
【発明を実施するための最良の形態】
【０００７】
以下、本発明の実施の形態について説明する。晴・雨天兼用の常用装着型ランドセルカバーは撥水加工された加工布やビニールシートまたはビニールコーティングされたもので形成されており、カバー本体（１）の周縁部全周（２）はテープにて縁取りされた形状である。装着の際にはランドセルの蓋の内側の部分（３）で左右を重なり合わせ、着脱が自在に出来るテープを使用することにより取り外しが可能な状態のものである。
【産業上の利用可能性】
【０００８】
この実施形態によれば、装着する際にランドセルの背負いバンドを取り外すことなく装
着することが出来る。したがって着脱が容易である。また、この実施形態によれば、外周縁部がテープで縁取りされているためカバー本体は強化されていて、晴・雨天にかかわらず常時着用することで、雨よけ以外に傷防止の効果もあり、取り外す必要のないため、学校での処理にも困らない。またランドセル本体と違和感なく一体化し、審美性に優れている。
【図面の簡単な説明】
【０００９】
【図１】本発明の斜視図である。
【図２】本発明の展開図である。
【図３】本発明の装着図である。
【符号の説明】
【００１０】
１    ランドセルカバー本体
２    外周縁部
３    ランドセルカバーの重なり部分
【図１】
2006000424.tif 000003
【図２】
2006000424.tif 000004
【図３】
2006000424.tif 000005
【手続補正書】
【提出日】平成16年9月14日(2004.9.14)
【手続補正１】
【補正対象書類名】特許請求の範囲
【補正対象項目名】全文
【補正方法】変更
【補正の内容】
【特許請求の範囲】
【請求項１】
ランドセルの蓋をくるんで使用するランドセルカバーであって、カバー本体（１）は周縁部全周（２）をテープにて縁取りし、蓋の内側（３）での着脱を可能にした雨よけだけではなく傷防止も視野に入れ、また外観的にもランドセル本体と違和感なく一体化し、審美性に優れていることを特徴とする。またこのランドセルカバーは常用装着を目的とし、そうすることにより新規の必需性を持つことを特徴とする晴・雨天兼用の常用装着型ランドセルカバー。
【手続補正２】
【補正対象書類名】明細書
【補正対象項目名】全文
【補正方法】変更
【補正の内容】
【発明の詳細な説明】
【技術分野】
【０００１】
本発明は、着脱を容易にし、雨よけ・傷防止を目的とし、審美性も加味した晴・雨天兼
用の常用装着型のランドセルカバーに関するものである。
【背景技術】
【０００２】
従来のランドセル用のランドセルカバーは主に雨よけを目的とし、形状はランドセルの背板部を除いてすっぽりと覆うものがある（例えば、特許文献１参照。）。また、ランドセルの蓋に被わせて用いるものもあるが、装着の際に背負いバンドを取り外して装着しなければならないものである（例えば、特許文献２参照。）。
【特許文献１】特開２００１−２５８６２７号公報
【特許文献２】登録実用新案第３０７７２７８号
【発明の開示】
【発明が解決しようとする課題】
【０００３】
以上の従来の技術によれば、主に雨よけを目的とし、装着が困難で、またランドセルの
背板部を除いてすっぽりと覆うものに関しては、学校に到着してからの処理に困るもので
あった。また従来の概念によれば、常用装着するものでないため、ランドセルカバーの必
要性を重要視されていないものであった。
【０００４】
本発明は、目的を雨よけだけではなく傷防止も視野に入れ、装着が簡単で、学校に到着してからも処理に困らず、審美性に優れ一体化し、常用装着することで新規の必需性を持つ晴・雨天兼用の常用装着型ランドセルカバーを提供することを課題とする。
【課題を解決するための手段】
【０００５】
以上の課題を解決するために、本発明の晴・雨天兼用の常用装着型ランドセルカバーは
ランドセルの蓋をくるんで使用するカバーであって、カバー本体は周縁部全周をテープに
て縁取りすることで外周縁部が強化され、また蓋の内側での着脱を可能にすることで着脱
が容易になり、外観的にもランドセル本体と違和感なく一体化し、審美性に優れている。
さらに晴・雨天にかかわらず常用装着することで、雨よけだけではなく傷防止の効果もあ
り、新規の必需性を持ったランドセルカバーの発明を目的とする。
【発明の効果】
【０００６】
本発明によれば、装着する際にランドセルの背負いバンドを取り外すことなく装着することが出来る。したがって着脱が容易である。また、この実施形態によれば、外周縁部がテープで縁取りされているためカバー本体は強化されていて、晴・雨天にかかわらず常用装着することで、雨よけ以外に傷防止の効果もあり、取り外す必要のないため、学校での処理にも困らない。またランドセル本体と違和感なく一体化し、審美性に優れている。
【発明を実施するための最良の形態】
【０００７】
以下、本発明の実施の形態について説明する。晴・雨天兼用の常用装着型ランドセルカバーは撥水加工された加工布やビニールシートまたはビニールコーティングされたもので形成されており、カバー本体（１）の周縁部全周（２）はテープにて縁取りされた形状である。装着の際にはランドセルの蓋の内側の部分（３）で左右を重なり合わせ、着脱が自在に出来るテープを使用することにより取り外しが可能な状態のものである。
【産業上の利用可能性】
【０００８】
以上説明したように、本発明によれば、着脱が容易で、また着脱することなく常時装着することで、雨よけはもとよりランドセルの傷等を防止する効果もあり、また外観的にもランドセルと一体化し、審美性に優れているため、ランドセルカバーの定着化がなされ、新規の必需性が生じることになる。
【図面の簡単な説明】
【０００９】
【図１】本発明の斜視図である。
【図２】本発明の展開図である。
【図３】本発明の装着図である。
【符号の説明】
【００１０】
１    ランドセルカバー本体
２    外周縁部
３    ランドセルカバーの重なり部分
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
ランドセルの蓋を巻くようにして包み込み、蓋の内側（３）のみでの着脱を可能にしたランドセルカバーであって、容易に装着することが出来、雨よけだけではなく傷防止も視野に入れ、また外観的にはランドセル本体と違和感なく一体化することでランドセルに同化し、審美性に優れていることを特徴とする。またこのランドセルカバーは常用装着を目的とし、そうすることにより新規の必需性を持つことを特徴とする晴・雨天兼用の常用装着型ランドセルカバー。
【手続補正２】
【補正対象書類名】明細書
【補正対象項目名】全文
【補正方法】変更
【補正の内容】
【発明の詳細な説明】
【技術分野】
【０００１】
本発明は、着脱を容易にし、雨よけ・傷防止を目的とし、審美性も加味した晴・雨天兼
用の常用装着型のランドセルカバーに関するものである。
【背景技術】
【０００２】
従来のランドセル用のランドセルカバーは主に雨よけを目的とし、形状はランドセルの背板部を除いてすっぽりと覆うものがある（例えば、特許文献１参照。）。また、ランドセルの蓋に被わせて用いるものもあるが、装着の際に背負いバンドを取り外して装着しなければならないものである（例えば、特許文献２参照。）。
【特許文献１】特開２００１−２５８６２７号公報
【特許文献２】登録実用新案第３０７７２７８号
【発明の開示】
【発明が解決しようとする課題】
【０００３】
以上の従来の技術によれば、主に雨よけを目的とし、装着が困難で、またランドセルの
背板部を除いてすっぽりと覆うものに関しては、学校に到着してからの処理に困るもので
あった。また従来の概念によれば、常用装着するものでないため、ランドセルカバーの必
要性を重要視されていないものであった。
【０００４】
本発明は、目的を雨よけだけではなく傷防止も視野に入れ、装着が簡単で、学校に到着してからも処理に困らず、ランドセル本体と違和感なく一体化することで、ランドセルに同化し、審美性に優れ、また常用装着することで新規の必需性を持つ晴・雨天兼用の常用装着型ランドセルカバーを提供することを課題とする。
【課題を解決するための手段】
【０００５】
以上の課題を解決するために、本発明の晴・雨天兼用の常用装着型ランドセルカバーは
ランドセルの蓋を巻くようにして包み込み、蓋の内側（３）のみでの着脱を可能にしたランドセルカバーであって、上記の形状にすることで着脱が容易になり、外観的にもランドセル本体と違和感なく一体化することでランドセルに同化し、審美性に優れたランドセルカバーとなる。さらに晴・雨天にかかわらず常用装着することで、雨よけだけではなく傷防止の効果もあり、新規の必需性を持ったランドセルカバーの発明を目的とする。
【発明の効果】
【０００６】
本発明によれば、装着する際にランドセルの背負いバンドを取り外すことなく蓋の内側のみで容易に着脱できる。また、晴・雨天にかかわらず常用装着することで、雨よけ以外に傷防止の効果もあり、取り外す必要のないため、学校での処理にも困らない。またランドセル本体と違和感なく一体化し、ランドセルに同化し、審美性に優れている。
【発明を実施するための最良の形態】
【０００７】
以下、本発明の実施の形態について説明する。晴・雨天兼用の常用装着型ランドセルカバーは撥水加工された加工布やビニールシートまたはビニールコーティングされたもので形成されており、カバー本体（１）の周縁部全周（２）はテープにて縁の始末がなされている。装着の際にはランドセルの蓋の内側の部分（３）で左右を重なり合わせ、着脱が自在に出来るテープを使用することにより取り外しが可能な状態のものである。
【産業上の利用可能性】
【０００８】
以上説明したように、本発明によれば、着脱が容易で、また着脱することなく常時装着することで、雨よけはもとよりランドセルの傷等を防止する効果もあり、また外観的にもランドセル本体と一体化することで、ランドセルに同化し、審美性に優れているため、ランドセルカバーの定着化がなされ、ランドセルカバーの必要性も高まり、新規の必需性が生じることになる。
【図面の簡単な説明】
【０００９】
【図１】本発明の斜視図である。
【図２】本発明の展開図である。
【図３】本発明の装着図である。
【符号の説明】
【００１０】
１    ランドセルカバー本体
２    外周縁部
３    ランドセルカバーの重なり部分